(57)【要約】【課題】ケージからの着脱が容易な光トランシーバモジュールを提供する。【解決手段】本発明は、ケージに着脱可能な光トランシーバモジュールである。この光トランシーバモジュールは、光電気変換素子を収容するとともに、前後方向に沿って形成された案内部を有するハウジングと、操作部とレバー側接触部とを有し、回転軸を中心に回転可能に前記ハウジングに取り付けられた操作レバーと、前記ケージに設けられた係止部と係合するための楔部と、前記レバー側接触部と接触するためのスライダ側接触部とを有し、前記案内部によって前記前後方向に案内されるスライダと、を備える。前記レバー側接触部は、前記回転軸から見て前記操作部と反対側に位置しており、前記操作部が後側に押されると、前記レバー側接触部が前記スライダ側接触部を前側に押すことによって、前記楔部が前記係止部から外れる位置まで前記スライダが前側に移動する。【選択図】図２Ｃ
2011141474.tif 000002
【特許請求の範囲】
【請求項１】
ケージに着脱可能な光トランシーバモジュールであって、
光電気変換素子を収容するとともに、前後方向に沿って形成された案内部を有するハウジングと、
操作部とレバー側接触部とを有し、回転軸を中心に回転可能に前記ハウジングに取り付けられた操作レバーと、
前記ケージに設けられた係止部と係合するための楔部と、前記レバー側接触部と接触するためのスライダ側接触部とを有し、前記案内部によって前記前後方向に案内されるスライダと、
を備え、
前記レバー側接触部は、前記回転軸から見て前記操作部と反対側に位置しており、
前記操作部が後側に押されると、前記レバー側接触部が前記スライダ側接触部を前側に押すことによって、前記楔部が前記係止部から外れる位置まで前記スライダが前側に移動する
ことを特徴とする光トランシーバモジュール。
【請求項２】
請求項１に記載の光トランシーバモジュールであって、
前記レバー側接触部は、突起状の爪部であり、
前記スライダ側接触部は、前記爪部が入り込んだ窓であり、
前記操作部が後側に押されると、前記爪部が前記窓を押すことによって、前記楔部が前記係止部から外れる位置まで前記スライダが前側に移動する
ことを特徴とする光トランシーバモジュール。
【請求項３】
請求項１又は２に記載の光トランシーバモジュールであって、
ハンドル部を有するつまみを更に備え、
前記操作部が後側に押されると、前記レバー側接触部が前記つまみを押すことによって、前記つまみが前側に移動し、前記ハンドル部が前記ハウジングから離れる
ことを特徴とする光トランシーバモジュール。
【請求項４】
請求項３に記載の光トランシーバモジュールであって、
前記操作部が後側に押されたときの前記つまみの移動量は、前記スライダの移動量よりも大きい
ことを特徴とする光トランシーバモジュール。
【請求項５】
請求項３又は４に記載の光トランシーバモジュールであって、
前記ハウジングに突起が設けられており、
前記楔部が前記係止部と係合できる位置から前記係止部から外れる位置まで前記操作レバーを回転させるときに、前記突起を乗り越えるように前記操作レバーにタブが設けられており、
前記操作部が後側に押され、前記レバー側接触部が前記つまみを押しているが、前記レバー側接触部が前記スライダを押していない状態のとき、前記タブは前記突起の上に位置している
ことを特徴とする光トランシーバモジュール。
【請求項６】
請求項５に記載の光トランシーバモジュールであって、
前記突起は、前記ハウジングに取り付けられたネジであることを特徴とする光トランシーバモジュール。
【請求項７】
請求項６に記載の光トランシーバモジュールであって、
前記ネジの頭部には、丸みが付いていることを特徴とする光トランシーバモジュール。
【請求項８】
請求項１〜７のいずれかに記載の光トランシーバモジュールであって、
前記操作レバーは軸穴を有し、
前記軸穴を通じて前記ハウジングに取り付けられたネジによって、そのネジを前記回転軸にしつつ、前記操作レバーが前記ハウジングに取り付けられている
ことを特徴とする光トランシーバモジュール。
【請求項９】
ケージに着脱可能な光トランシーバモジュールの製造方法であって、
（Ａ）ネジ穴と前後方向に沿って形成された案内部とを有し、光電気変換素子を収容するためのハウジングと、
操作部とレバー側接触部と軸穴とを有し、前記軸穴から見て前記レバー側接触部が前記操作部と反対側に位置している操作レバーと、
前記ケージに設けられた係止部と係合するための楔部と、前記レバー側接触部と接触するためのスライダ側接触部とを有するスライダと
を用意するステップと、
（Ｂ）前記レバー側接触部と前記スライダ側接触部とが接触できるように前記操作レバーと前記スライダを組み立てるステップと、
（Ｃ）前記スライダが前記案内部によって前記前後方向に案内されるようにしつつ、前記軸穴と前記ネジ穴とを合わせるようにして、前記操作レバー及び前記スライダを前記ハウジングに合わせるステップと、
（Ｄ）前記軸穴を通じて前記ネジ穴にネジを取り付けて、前記ネジを中心に回転可能に前記操作レバーを前記ハウジングに取り付けるステップと
を有することを特徴とする光トランシーバモジュールの製造方法。
【発明の詳細な説明】
【技術分野】
【０００１】
本発明は、光トランシーバモジュール及び光トランシーバモジュールの製造方法に関する。
【背景技術】
【０００２】
光ファイバを用いた高速光通信の分野では、電気信号と光信号とを相互に変換する部品として光トランシーバが用いられている。光トランシーバを取り扱う業界団体で取り決められたＭＳＡ（Multi Source Agreement）により、ＸＦＰタイプやＳＦＰタイプなどのプラガブル光トランシーバの仕様（形状・寸法・ピンアサインなど）が標準化されている（例えば、非特許文献１、２参照）。これらのプラガブル光トランシーバによれば、通信機器側（ホスト側）の基板上にケージが設置され、光電気変換素子や回路基板を内蔵した光トランシーバモジュールがケージに着脱可能に挿入される。光トランシーバモジュールがケージに挿入されると、ケージ内の電気インターフェースコネクタに対して光トランシーバモジュール内の回路基板が電気的・機械的に接続される。これにより、光ファイバで送受される光信号と、通信機器側の基板で処理される電気信号が、光トランシーバモジュール内の光電気変換素子や回路基板によって相互に変換可能になる。
【０００３】
このようなプラガブル光トランシーバには、光トランシーバモジュールがケージから外れることを防止するために、ラッチ機構とも呼ばれるロック機構が設けられている。また、光トランシーバのロック機構は、光トランシーバモジュールをケージに対して固定するだけでなく、光トランシーバモジュールをケージから取り出せるようにするために、固定状態を解除できることも必要である。例えば、特許文献１には、操作レバーが手前側に倒れるとロックが解除されるロック機構が記載されている。
【先行技術文献】
【特許文献】
【０００４】
【特許文献１】米国特許第６８７２０１０号明細書
【非特許文献】
【０００５】
【非特許文献１】SFF委員会、「１０ギガビット・スモール・フォーム・ファクター・プラガブル・モジュール（10 Gigabit Small Form Factor Pluggable Module）」、２００５年８月３１日
【非特許文献２】SFF委員会、「スモール、フォーム・ファクター・プラガブルトランシーバ・マルチソース・アグリーメント（Small Form-factor Pluggable (SFP) Transceiver Multi Source Agreement (MSA)）」、２０００年９月１４日
【発明の概要】
【発明が解決しようとする課題】
【０００６】
図１５は、操作レバーが手前側に倒れるとロックが解除されるロック機構を備えた光トランシーバ１’の説明図である。
【０００７】
このロック機構によれば、操作者が操作レバーを手前側に倒すことによってロックが解除され、光トランシーバモジュール１’がケージ２’から引き抜けるようになる。但し、このようなロック機構では、操作レバー４０’を手前に倒すときに光ファイバが邪魔にならないようにするために、光トランシーバモジュール１’のレセプタクルから光コネクタを一旦抜き取る必要がある。つまり、このような構成では、光ファイバが光トランシーバモジュール１’に接続された状態で光トランシーバモジュール１’をケージ２’から抜くことは困難であった。
【０００８】
また、このロック機構をピグテールタイプ（光トランシーバモジュールから光ファイバが直接出ているタイプ）の光トランシーバモジュールに適用した場合、光ファイバを光トランシーバモジュールから外すことができないため、光トランシーバモジュールをケージから抜く作業が困難となる。
【０００９】
本発明は、ケージからの着脱が容易な光トランシーバモジュールを提供することを目的とする。
【課題を解決するための手段】
【００１０】
上記目的を達成するための主たる発明は、ケージに着脱可能な光トランシーバモジュールであって、光電気変換素子を収容するとともに、前後方向に沿って形成された案内部を有するハウジングと、操作部とレバー側接触部とを有し、回転軸を中心に回転可能に前記ハウジングに取り付けられた操作レバーと、前記ケージに設けられた係止部と係合するための楔部と、前記レバー側接触部と接触するためのスライダ側接触部とを有し、前記案内部によって前記前後方向に案内されるスライダと、を備え、前記レバー側接触部は、前記回転軸から見て前記操作部と反対側に位置しており、前記操作部が後側に押されると、前記レバー側接触部が前記スライダ側接触部を前側に押すことによって、前記楔部が前記係止部から外れる位置まで前記スライダが前側に移動することを特徴とする光トランシーバモジュールである。
【００１１】
本発明の他の特徴については、後述する明細書及び図面の記載により明らかにする。
【発明の効果】
【００１２】
本発明によれば、ケージからの着脱が容易な光トランシーバモジュールを提供することができる。
【図面の簡単な説明】
【００１３】
【図１】本実施形態のロック機構を備えた光トランシーバの説明図である。
【図２Ａ】ロック中の可動機構の状態の説明図である。
【図２Ｂ】ロック解除中の可動機構の状態の説明図である。
【図２Ｃ】ロック解除後の可動機構の状態の説明図である。
【図３】ケージの説明図である。
【図４】光トランシーバモジュールの本体の説明図である。
【図５】ハウジングの説明図である。
【図６】前側下カバーの説明図である。
【図７】可動機構の説明図である。
【図８】図８Ａ及び図８Ｂは、操作レバーの説明図である。
【図９】スライダの説明図である。
【図１０】楔部の周辺を説明するための断面図である。
【図１１】つまみの説明図である。
【図１２】図１２Ａは、可動機構の組み立て方の説明図である。図１２Ｂは、可動機構をハウジングに取り付ける様子の説明図である。
【図１３Ａ】可動機構を省略した状態で、第１突出部及び第２突出部にネジを取り付けたときの様子を上から見た図である。
【図１３Ｂ】可動機構のうちの操作レバーだけがある状態で、第１突出部及び第２突出部にネジを取り付けたときの様子を上から見た図である。
【図１４】図１４Ａ〜図１４Ｃは、変形例の説明図である。図１４Ａは、ロック中の可動機構の状態の説明図である。図１４Ｂは、ロック解除中の可動機構の状態の説明図である。図１４Ｃは、ロック解除後の可動機構の状態の説明図である。
【図１５】操作レバーが手前側に倒れるとロックが解除されるロック機構を備えた光トランシーバの説明図である。
【発明を実施するための形態】
【００１４】
後述する明細書及び図面の記載から、少なくとも以下の事項が明らかとなる。
【００１５】
ケージに着脱可能な光トランシーバモジュールであって、
光電気変換素子を収容するとともに、前後方向に沿って形成された案内部を有するハウジングと、
操作部とレバー側接触部とを有し、回転軸を中心に回転可能に前記ハウジングに取り付けられた操作レバーと、
前記ケージに設けられた係止部と係合するための楔部と、前記レバー側接触部と接触するためのスライダ側接触部とを有し、前記案内部によって前記前後方向に案内されるスライダと、
を備え、
前記レバー側接触部は、前記回転軸から見て前記操作部と反対側に位置しており、
前記操作部が後側に押されると、前記レバー側接触部が前記スライダ側接触部を前側に押すことによって、前記楔部が前記係止部から外れる位置まで前記スライダが前側に移動する
ことを特徴とする光トランシーバモジュールが明らかになる。  
このような光トランシーバモジュールによれば、ケージからの着脱が容易である。
【００１６】
前記レバー側接触部は突起状の爪部であり、前記スライダ側接触部は、前記爪部が入り込んだ窓であり、前記操作部が後側に押されると、前記爪部が前記窓の前縁を押すことによって、前記楔部が前記係止部から外れる位置まで前記スライダが前側に移動することが望ましい。これにより、爪部が窓の前縁を押すことによって、スライダを前側に移動させることが可能になる。
【００１７】
ハンドル部を有するつまみを更に備え、前記操作部が後側に押されると、前記レバー側接触部が前記つまみを押すことによって、前記つまみが前側に移動し、前記ハンドル部が前記ハウジングから離れることが望ましい。これにより、操作者がハンドル部を摘み易くなる。
【００１８】
前記操作部が後側に押されたときの前記つまみの移動量は、前記スライダの移動量よりも大きいことが望ましい。これにより、操作者がハンドル部を摘み易くなる。
【００１９】
前記ハウジングに突起が設けられており、前記楔部が前記係止部と係合できる位置から前記係止部から外れる位置まで前記操作レバーを回転させるときに、前記突起を乗り越えるように前記操作レバーにタブが設けられており、前記操作部が後側に押され、前記レバー側接触部が前記つまみを押しているが、前記レバー側接触部が前記スライダを押していない状態のとき、前記タブは前記突起の上に位置していることが望ましい。これにより、ハンドル部が摘み易くなっている状態でロック解除されていないことを防止できる。
【００２０】
前記突起は、前記ハウジングに取り付けられたネジであることが望ましい。これにより、ハウジングに突起を容易に設けることができる。
【００２１】
前記ネジの頭部には、丸みが付いていることが望ましい。これにより、タブがネジの頭部を乗り越えやすくなり、また、タブがネジの頭部を滑りやすくなる。
【００２２】
前記操作レバーは軸穴を有し、前記軸穴を通じて前記ハウジングに取り付けられたネジによって、そのネジを前記回転軸にしつつ、前記操作レバーが前記ハウジングに取り付けられていることが望ましい。これにより、ハウジングに操作レバーを容易に取り付けることができる。
【００２３】
ケージに着脱可能な光トランシーバモジュールの製造方法であって、
（Ａ）ネジ穴と前後方向に沿って形成された案内部とを有し、光電気変換素子を収容するためのハウジングと、
操作部とレバー側接触部と軸穴とを有し、前記軸穴から見て前記レバー側接触部が前記操作部と反対側に位置している操作レバーと、
前記ケージに設けられた係止部と係合するための楔部と、前記レバー側接触部と接触するためのスライダ側接触部とを有するスライダと
を用意するステップと、
（Ｂ）前記レバー側接触部と前記スライダ側接触部とが接触できるように前記操作レバーと前記スライダを組み立てるステップと、
（Ｃ）前記スライダが前記案内部によって前記前後方向に案内されるようにしつつ、前記軸穴と前記ネジ穴とを合わせるようにして、前記操作レバー及び前記スライダを前記ハウジングに合わせるステップと、
（Ｄ）前記軸穴を通じて前記ネジ穴にネジを取り付けて、前記ネジを中心に回転可能に前記操作レバーを前記ハウジングに取り付けるステップと
を有することを特徴とする光トランシーバモジュールの製造方法も明らかになる。  
このような製造方法によれば、ケージからの着脱が容易な光トランシーバモジュールを製造しやすくなる。
【００２４】
＝＝＝概要＝＝＝
図１は、本実施形態のロック機構を備えた光トランシーバの説明図である。図２Ａ〜図２Ｃは、ロック解除時の動作の説明図である。図２Ａ〜図２Ｃについては、符号に下線の付いた部材を中心に本実施形態の概要を説明する。
【００２５】
通信機器側（ホスト側）の基板上にはケージ２が設置されている。ケージ２は、光トランシーバモジュール１を着脱可能に収容する。光トランシーバモジュール１は、光電気変換素子や回路基板を内蔵しており、光ファイバで送受される光信号と、通信機器側の基板で処理される電気信号とを相互に変換する。
【００２６】
ケージ２の側面には、係止部２Ａが形成されている。この係止部２Ａは、光トランシーバのロック機構の一部（ケージ２側のロック機構）を構成することになる。
【００２７】
光トランシーバモジュール１には、操作レバー４０と、スライダ５０と、つまみ６０とから構成された可動機構３０が設けられている。図２Ａ〜図２Ｃのスライダ５０の右端には、外側に突出した楔部５１Ａが形成されている。この楔部５１Ａがケージ２の係止部２Ａに引っ掛かることによって、光トランシーバモジュール１がケージ２に固定されることになる。このため、スライダ５０等を含む可動機構３０は、光トランシーバのロック機構の一部（光トランシーバモジュール１側のロック機構）を構成することになる。つまり、ケージ２の係止部２Ａと、光トランシーバモジュール１の可動機構３０とによって、光トランシーバのロック機構が構成されている。
【００２８】
ロックを解除するとき、操作者は操作レバー４０を奥側（後側）に押し、操作レバー４０を回転させる。操作レバー４０が回転することによって、スライダ５０が図中の左方向（前）にスライドする（図２Ｃ参照）。スライダ５０がスライドすると、スライダ５０の楔部５１Ａがケージ２の係止部２Ａ（図１参照）から外れ、光トランシーバモジュール１の固定状態が解除され（ロックが解除され）、光トランシーバモジュール１をケージ２から引き抜けるようになる。操作レバー４０を奥側に倒すことによってロックが解除されるので、光トランシーバモジュール１の前側から出ている光ファイバがロック解除時に邪魔にならない。
【００２９】
なお、ロックを解除するときに、操作者が操作レバー４０を奥側に押すと、つまみ６０が操作者側（前）に押し出される（図２Ｂ参照）。また、ロック解除時のつまみ６０の移動量はスライダ５０の移動量よりも大きくなっており、つまみ６０が操作者側（前）に大きくせり出される。このため、操作者がつまみ６０を指でつまんで光トランシーバモジュール１をケージ２から引き抜くことが容易になる。
【００３０】
＝＝＝構成＝＝＝
次に、光トランシーバの構成について詳しく説明する。
【００３１】
以下の説明では、図１に示すように、前後、上下及び左右を定義する。すなわち、光トランシーバモジュール１を挿入するケージ２の挿入口側を「前」とし、逆側を「後」とする。光トランシーバモジュール１においては、可動機構３０が設けられる側を「前」とし、逆側を「後」とする。また、ケージ２が設けられる基板から見て、ケージ２が設けられる面の側を「上」とし、逆側を「下」とする。また、前後方向と上下方向と直交する方向を「左右」とする。
【００３２】
図１に示すように、本実施形態の光トランシーバは、ケージ２と、光トランシーバモジュール１とを有する。
【００３３】
＜ケージ２＞
図３は、ケージ２の説明図である。本実施形態のケージ２は、ＭＳＡで規定されたＸＦＰタイプのものである。このケージ２は、例えばＯＮＵ（Optical Network Unit：光加入者系システムの加入者側の通信機器）側の基板上に設けられる。但し、ケージ２をＯＬＴ（Optical Line Terminal：光加入者系システムの局側の通信機器）側の基板上に設けてもよい。
【００３４】
ケージ２は、光トランシーバモジュール１を挿入するための挿入口を前側に備え、前後方向に長い断面矩形の箱形部材である。このケージ２は、前側を開放するように金属板を折り曲げ加工して形成される。金属板が断面矩形状に折り曲げ加工されることにより、光トランシーバモジュール１を収容するための収容部がケージ２内に形成されている。ケージ２の内部（収容部）の後側には、不図示の電気インターフェースコネクタが設けられている。この電気インターフェースコネクタを介して、光トランシーバモジュール１との間で電気信号が伝送される。
【００３５】
ケージ２の側面には、係止部２Ａが形成されている。この係止部２Ａは、ＭＳＡで規定された位置に適合するように、ケージ２の左右の両側面に形成されている。係止部２Ａは、Ｕ字状に打ち抜かれた舌片状の部分を内側（光トランシーバモジュール１を収容する収容部の側）に少し折り曲げて形成されている。係止部２Ａが収容部側に突出することによって、光トランシーバモジュール１がケージ２に挿入されたときに、係止部２Ａがスライダ５０の楔部５１Ａと係合し、光トランシーバモジュール１がケージ２に固定されることになる。また、係止部２Ａは、外側に向かって弾性変形可能である。ロック解除時にスライダ５０の楔部５１Ａが前側に移動するときに、係止部２Ａは外側に向かって弾性変形して逃げることになる。
【００３６】
＜光トランシーバモジュール１＞
光トランシーバモジュール１は、図１に示すように、本体１０と、ピグテールファイバ２０と、可動機構３０とを有する。
【００３７】
・本体１０
図４は、光トランシーバモジュール１の本体１０の説明図である。この本体１０は、光電気変換素子（不図示）と、回路基板（不図示）と、ハウジング１１と、前側下カバー１４と、後側下カバー１５とを有する。
【００３８】
光電気変換素子（不図示）として、発光素子である半導体レーザや、受光素子であるフォトダイオードが用いられている。これらの光電気変換素子は、ＢＯＳＡと呼ばれる一心双方向光送受信サブアセンブリ（Bi-directional Optical Sub-Assembly）としてパッケージ化されている。ＢＯＳＡには、半導体レーザやフォトダイオードだけでなく、ＷＤＭ（Wavelength Division-Multiplexing）フィルタやレンズなども一緒にパッケージ化されている。光電気変換素子によって、光信号と電気信号との相互の変換が行われる。
【００３９】
回路基板（不図示）には、半導体レーザを駆動するドライバや、フォトダイオードの出力を増幅するアンプなどが実装されている。また、回路基板の前側には、前述のＢＯＳＡのリードピンで直接、又はフレキシブルプリント基板（ＦＰＣ）を介して、ＢＯＳＡが取り付けられている。回路基板の後側には、不図示のコネクタがある。光トランシーバモジュール１がケージ２に挿入されると、このコネクタを介して、光トランシーバモジュール１内の回路基板がケージ２の電気インターフェースコネクタに電気的・機械的に接続される。
【００４０】
図５は、ハウジング１１の説明図である。ハウジング１１は、光電気変換素子や回路基板（不図示）を収容する部材である。ハウジング１１の後側にはケージ２に挿入される挿入部１２があり、挿入部１２の前側にはヘッド部１３がある。後側の挿入部１２には回路基板が収容されており、前側のヘッド部１３にはＢＯＳＡが収容されている。
【００４１】
挿入部１２の左右の両側面には、後側案内部１２Ａが設けられている。後側案内部１２Ａは、挿入部１２の前側に位置し、前後方向に沿った凹状溝になっている。これにより、後側案内部１２Ａは、スライダ５０（図１、図２Ａ〜図２Ｃ参照）を前後方向に移動を可能にしつつ上下方向の移動を規制するように、案内する。なお、後側案内部１２Ａの後側には、スライダ５０の楔部５１Ａを収容するための楔収容部１２Ｂが形成されている。光トランシーバモジュール１がケージ２に挿入されたとき、スライダ５０の楔部５１Ａは楔収容部１２Ｂの位置で収容されている。このため、この楔収容部１２Ｂは、光トランシーバモジュール１がケージ２に挿入されたときにケージ２の係止部２Ａと対向する位置になるように、挿入部１２の側面に設けられている。
【００４２】
ヘッド部１３の左右の両側面には、前側案内部１３Ａが設けられている。前側案内部１３Ａは、ヘッド部１３の前側から後側にわたって前後方向に沿って形成された凹状溝になっている。前側案内部１３Ａは、スライダ５０及びつまみ６０（図１、図２Ａ〜図２Ｃ参照）の前後方向の移動を可能にしつつ上下方向の移動を規制するように、スライダ５０及びつまみ６０を案内する。スライダ５０が前側案内部１３Ａと後側案内部１２Ａの両方に案内されるようにするため、前側案内部１３Ａと後側案内部１２Ａの上下方向の幅は同じになっており、前側案内部１３Ａと後側案内部１２Ａの上下方向の位置も同じになっている。
【００４３】
前側案内部１３Ａの上方には、第１突出部１３Ｂ及び第２突出部１３Ｃが設けられている。どちらの突出部にもネジ穴が形成されている。但し、前側に位置する第１突出部１３Ｂの方が、後側に位置する第２突出部１３Ｃよりも外側に突出している。この理由については、後述する。
【００４４】
ヘッド部１３の下面の左右には、下側案内部１３Ｄが設けられている。下側案内部１３Ｄは、スライダ５０の下側（後述するフック部５４）を前後方向に案内する。このため、下側案内部１３Ｄは、前後方向に沿った凹形状になっている。
【００４５】
図６は、前側下カバー１４の説明図である。前側下カバー１４は、ハウジング１１のヘッド部１３の下側に取り付けられるカバーである。ハウジング１１のヘッド部１３にはＢＯＳＡが収容されるので、前側下カバー１４は、ＢＯＳＡを覆う機能も有する。  
前側下カバー１４の左右には、スライダ押さえ部１４Ａが設けられている。スライダ押さえ部１４Ａは、可動機構３０のスライダ５０を左右の外側から押さえるためのものである。なお、スライダ押さえ部１４Ａの後縁は、スライダ５０の最前位置を規制する機能を有する（後述するスライダ５０の突起部５１Ｂがスライダ押さえ部１４Ａの後縁に接触する）。  
前側下カバー１４の前方には、ファイバ押さえ部１４Ｂが設けられている。ファイバ押さえ部１４Ｂは、光トランシーバモジュール１の本体１０から出ているピグテールファイバ２０を下から支持する機能を有する。
【００４６】
後側下カバー１５（図４参照）は、ハウジング１１の挿入部１２の下側に取り付けられるカバーである。ハウジング１１の挿入部１２には回路基板が収容されているので、後側カバーは、回路基板を覆う機能も有する。
【００４７】
・ピグテールファイバ２０
ピグテールファイバ２０（図１参照）は、ＢＯＳＡ（一心双方向光送受信サブアセンブリ）に取り付けられた双方向通信用の光ファイバである。本実施形態のピグテールファイバ２０は、送信方向と受信方向とで異なる波長の光信号を双方向に伝送する。但し、送受信で同一波長としてもよい。
【００４８】
ピグテールファイバ２０は、光トランシーバモジュール１から取り外しできないように取り付けられている。なお、ピグテールファイバ２０の端部には光コネクタ２１（例えばＳＣコネクタ、図１参照）が取り付けられており、この光コネクタ２１を介して他の光ファイバに接続可能である。
【００４９】
・可動機構３０
図７は、可動機構３０の説明図である。可動機構３０は、操作レバー４０と、スライダ５０と、つまみ６０とから構成される。
【００５０】
図８Ａ及び図８Ｂは、操作レバー４０の説明図である。操作レバー４０は、ロックを解除するときに操作者が操作する部品である。操作レバー４０は、操作部４１と、側面プレート４２と、レバー連結部４３と、爪部４４とから構成される。操作部４１は、操作レバー４０の上方に位置するＬ字型の部分である。この操作部４１は、ロックを解除するときに、操作者の指で後側に押されることになる。操作部４１の下側にレバー連結部４３が位置し、このレバー連結部４３を介して左右の側面プレート４２が連結されている。側面プレート４２は、法線が左右方向となるように互いに平行に設けられている。各側面プレート４２の下側には、爪部４４がそれぞれ設けられている。
【００５１】
爪部４４は、側面プレート４２から内側に向かって折り曲げられて形成されている。爪部４４は、内側に向かって折り曲げられることによって内側に突起した部材となり、操作レバー４０の内側に位置することになるスライダ５０（詳しくは、スライダ５０の窓５２Ａ）と接触するためのレバー側接触部となる。
【００５２】
側面プレート４２には、軸穴４２Ａと、スロット４２Ｂと、タブ４２Ｃとが形成されている。軸穴４２Ａは、操作レバー４０の回転軸を支持するための穴である。なお、この軸穴４２Ａにはハウジング１１の第１突出部１３Ｂに取り付けられた軸用ネジ７１の頭部が嵌め合わされて、操作レバー４０が軸穴４２Ａを中心に回転可能にハウジング１１に取り付けられる（後述）。スロット４２Ｂ及びタブ４２Ｃは、操作レバー４０の位置を規定するものである。スロット４２Ｂは、側面プレート４２において凹状に形成されており、これにより、スロット４２Ｂに隣接した位置で側面プレート４２から突出するようにタブ４２Ｃが形成される。なお、タブ４２Ｃは、操作レバー４０の回転時に、ハウジング１１の第２突出部１３Ｃに取り付けられた突起用ネジ７２の頭部を乗り越えるように移動することになる（後述）。これにより、突起用ネジ７２がスロット４２Ｂに嵌った状態と、突起用ネジ７２の下側がタブ４２Ｃの上縁に接触した状態のいずれかの状態になるように、操作レバー４０の位置が規定される。タブ４２Ｃは、側面プレート４２の軸穴４２Ａから見て、操作レバー４０の操作部４１の端部よりも近い位置に設けられている。このため、操作者が操作部４１を押したとき、突起用ネジ７２の頭部をタブ４２Ｃが乗り越え易くなっている（後述）。
【００５３】
爪部４４は、側面プレート４２の軸穴４２Ａから見て、操作部４１と反対側に位置している。このため、操作部４１が前後方向に関して後側に移動したとき、爪部４４は前後方向に関して前側（操作部４１の前後方向の移動方向と反対側）に移動する。また、爪部４４は、側面プレート４２の軸穴４２Ａから見て、操作部４１の端部よりも近い位置に設けられている。このため、爪部４４は、接触する他の部材（スライダ５０やつまみ６０）に対して、操作者が操作部４１を押した力よりも強い力を与えることができる。
【００５４】
図９は、スライダ５０の説明図である。図１０は、楔部５１Ａの周辺を説明するための断面図である。スライダ５０は、ロックを解除するときに前方向にスライドする部品である。スライダ５０は、スライドプレート５１と、窓用プレート５２と、スライダ連結部５３と、フック部５４とを有する。
【００５５】
スライドプレート５１は、前後方向に長い矩形板状の部分であり、スライダ５０の後側に位置する。左右のスライドプレート５１は、左右方向に所定間隔を空けて、互いに対向している。スライドプレート５１がハウジング１１の前側案内部１３Ａと後側案内部１２Ａの凹状溝に嵌るようにするため、スライドプレート５１の上下方向の幅は、前側案内部１３Ａや後側案内部１２Ａの上下方向の幅よりも若干狭くなっている。スライドプレート５１の後側には、外側に向かって突出した楔部５１Ａが設けられている。スライドプレート５１の外側表面の楔部５１Ａに隣接する部分は、内側に若干凹んだ形状をしている（図１０参照）。この凹んだ部分にケージ２の係止部２Ａが入り込むことによって、ケージ２の係止部２Ａとスライダ５０の楔部５１Ａが係合し、光トランシーバモジュール１がケージ２に固定されることになる。スライドプレート５１の下側には突起部５１Ｂが設けられている。この突起部５１Ｂは、スライドプレート５１から外側に折り曲げられて形成されている。突起部５１Ｂが前側下カバー１４のスライダ押さえ部１４Ａの後縁に接触することによって、スライダ５０の最前位置が規制されることになる。
【００５６】
窓用プレート５２は、スライドプレート５１の前側に位置する板状の部分である。左右の窓用プレート５２は、互いに対向している。左右の窓用プレート５２の間隔は、左右のスライドプレート５１の間隔よりもつまみ６０の板厚分だけ広い間隔であり、また、操作レバー４０の左右の側面プレート４２の間隔よりは狭い間隔である。窓用プレート５２には、矩形状の窓５２Ａが形成されている。この窓５２Ａの中に、操作レバー４０の爪部４４が外側から入り込むことになる。なお、窓５２Ａは、レバー側接触部である爪部４４と接触するためのスライダ側接触部となる。
【００５７】
窓５２Ａの上下方向の幅は、操作レバー４０の回転時の爪部４４の上下方向の移動範囲よりも広くなっており、窓５２Ａの上下の縁に爪部４４が接触しないようになっている。また、窓５２Ａの前後方向の幅は、操作レバー４０の回転時の爪部４４の前後方向の移動範囲よりも狭くなっている。このため、操作レバー４０が回転すると、爪部４４が窓５２Ａの前縁又は後縁に接触し、これによりスライダ５０が前後方向に移動することになる。
【００５８】
窓用プレート５２の上側にスライダ連結部５３が位置し、このスライダ連結部５３を介して左右の窓用プレート５２が連結されている。また、窓用プレート５２の下側にフック部５４が位置している。フック部５４は、窓用プレート５２から内側に向かって折り曲げられて形成されている。これにより、スライダ５０の窓用プレート５２、スライダ連結部５３及びフック部５４が、ハウジング１１のヘッド部１３を抱持する状態になる。フック部５４はハウジング１１の下面の下側案内部１３Ｄによって前後方向に案内されることにより、スライダ５０が前後方向に移動可能になっている。
【００５９】
図１１は、つまみ６０の説明図である。つまみ６０は、ロック解除後の光トランシーバモジュール１をケージ２から抜くときに操作者がつまむための部品である。光トランシーバモジュール１をケージ２から抜くときに、光トランシーバモジュール１の回路基板上のカードエッジコネクタを通信機器側（ホスト側）の基板上のコネクタソケットから引き抜くための力を要するため、つまみ６０は、操作レバー４０やスライダ５０と比較すると、板厚になっている。つまみ６０は、ハンドル部６１と、引っ掛け部６２とを有する。
【００６０】
ハンドル部６１は、操作者がつまむ部分である。ハンドル部６１は、操作者の親指と人差し指で上下方向から摘み易いようにするため、板面の法線が上下方向を向いている。
【００６１】
引っ掛け部６２は、前後方向に長い矩形板状の部分である。左右に設けられた引っ掛け部６２は、ハンドル部６１によって連結されている。左右の引っ掛け部６２は、スライダ５０の左右のスライドプレート５１の間隔とほぼ同じ間隔をあけて、互いに対向している。これにより、スライドプレート５１を案内する前側案内部１３Ａを利用して、引っ掛け部６２を前後方向に案内することを可能にしている。引っ掛け部６２がハウジング１１の前側案内部１３Ａの凹状溝に嵌るようにするため、引っ掛け部６２の上下方向の幅は、前側案内部１３Ａの上下方向の幅よりも若干狭くなっている。引っ掛け部６２の後側には、切欠部６２Ａが形成されている。この切欠部６２Ａは、引っ掛け部６２の下側から凹状にへこませた部分である。この切欠部６２Ａの中に、操作レバー４０の爪部４４が入り込むことになる。なお、切欠部６２Ａは、レバー側接触部である爪部４４と接触するためのつまみ側接触部となる。
【００６２】
切欠部６２Ａの前後方向の幅は、切欠部６２Ａの前後の縁に爪部４４が同時に接しないようにするため、操作レバー４０の爪部４４の前後方向の幅よりも広くなっている。但し、切欠部６２Ａの前後方向の幅は、スライダ５０の窓５２Ａの前後方向の幅よりも短くなっている。これにより、操作レバー４０が回転したときに、つまみ６０の移動量が、スライダ５０の移動量よりも大きくなる。
【００６３】
図１２Ａは、可動機構３０の組み立て方の説明図である。  
まず、組立作業者は、操作レバー４０とスライダ５０を用意する。そして、作業者は、スライダ５０の左右のスライドプレート５１を内側に撓ませながら、操作レバー４０の爪部４４をスライダ５０の窓５２Ａの中にはめ込む。次に、作業者は、つまみ６０の切欠部６２Ａを操作レバー４０の爪部４４に引っ掛ける。  
このように、つまみ６０を組み立てるときは、つまみ６０を爪部４４に引っ掛けるだけで良いため、スライダ５０の組み立てるときのようにつまみ６０を撓ませる必要はない。つまみ６０はスライダ５０よりも板厚な部材であるため、つまみ６０を撓ませずに可動機構３０を組み立てられることは特に有効である。  
また、つまみ６０の切欠部６２Ａが下側から凹状にへこんでいるため、操作レバー４０の爪部４４の上側から切欠部６２Ａを引っ掛けることができる。このため、爪部４４の下側から引っ掛ける場合よりも、つまみ６０が可動機構３０から外れにくく、可動機構３０をハウジング１１に取り付ける作業が容易になる。
【００６４】
図１２Ｂは、可動機構３０をハウジング１１に取り付ける様子の説明図である。  
組立作業者は、可動機構３０を組み立てた後、可動機構３０をハウジング１１に取り付ける。このとき、スライダ５０のスライドプレート５１とつまみ６０の引っ掛け部６２が、ハウジング１１の側面の前側案内部１３Ａや後側案内部１２Ａの凹状溝に嵌るように、ハウジング１１に取り付けられる。そして、作業者は、操作レバー４０の軸穴４２Ａの位置をハウジング１１の側面の第１突出部１３Ｂに合わせ、軸穴４２Ａを通じて軸用ネジ７１を第１突出部１３Ｂ（図１２Ｂでは不図示、図５参照）に取り付ける。これにより、可動機構３０がハウジング１１に取り付けられる。また、作業者は、ハウジング１１の側面の第２突出部１３Ｃに突起用ネジ７２を取り付ける。
【００６５】
図１３Ａは、可動機構３０を省略した状態で、第１突出部１３Ｂ及び第２突出部１３Ｃにネジを取り付けたときの様子を上から見た図である。図１３Ｂは、可動機構３０のうちの操作レバー４０だけがある状態で、第１突出部１３Ｂ及び第２突出部１３Ｃにネジを取り付けたときの様子を上から見た図である。  
図に示すように、第１突出部１３Ｂに軸用ネジ７１が取り付けられると、軸用ネジ７１の頭部が、第１突出部１３Ｂよりも更に外側に突出した状態になる。そして、軸用ネジ７１の頭部が、操作レバー４０の軸穴４２Ａに嵌ることにより、操作レバー４０が軸用ネジ７１の頭部を回転軸にして回転可能な状態で、可動機構３０がハウジング１１に取り付けられる。
【００６６】
本実施形態では、可動機構３０をハウジング１１に対して位置合わせした後に軸用ネジ７１を取り付けているため、可動機構３０をハウジング１１に取り付け易くなっている。もし仮に、軸用ネジ７１がハウジング１１に予め取り付けられた状態で可動機構３０を取り付けようとすると、操作レバー４０の左右の側面プレート４２を外側に広げながら軸用ネジ７１の頭部を軸穴４２Ａに嵌める必要があるため、可動機構３０をハウジング１１に取り付け難くなる。このように、本実施形態では、可動機構３０をハウジング１１に取り付け易くするために、軸用ネジ７１の頭部が操作レバー４０の回転軸になる構成を採用しているのである。
【００６７】
第２突出部１３Ｃは、第１突出部１３Ｂよりも、外側への突出量が小さい。そして、軸用ネジ７１及び突起用ネジ７２には同じネジ（鍋ネジ）が用いられているため、ハウジング１１に取り付けられた突起用ネジ７２は、軸用ネジ７１よりも、外側への突出量が小さい状態になる。この結果、操作レバー４０の側面プレート４２の内面の位置に対して、軸用ネジ７１は頭部のほぼ全体が外側に位置するが、突起用ネジ７２は頭部の一部だけ（詳しくは、鍋ネジの頭部の角の丸みの付いた部分だけ）しか外側に位置していない。このため、図１３Ｂでは、軸用ネジ７１の頭部のほぼ全体は側面プレート４２によって隠れているが、突起用ネジ７２の頭部は、一部だけしか隠れていない。これにより、操作レバー４０の回転時に、タブ４２Ｃが突起用ネジ７２の頭部を乗り越えることができる。なお、突起用ネジ７２として頭部に丸みの付いた鍋ネジが採用されているため、操作レバー４０の回転時にタブ４２Ｃが突起用ネジ７２の頭部を乗り越え易くなっている。
【００６８】
可動機構３０をハウジング１１に取り付けた後、ハウジング１１内にＢＯＳＡや回路基板が組み込まれる。そして、ハウジング１１内に回路基板等を収容した後に、前側下カバー１４や後側下カバー１５がハウジング１１に取り付けられて、光トランシーバモジュール１が完成する。
【００６９】
＝＝＝ロック解除＝＝＝
次に、図２Ａ〜図２Ｃを用いてロック解除時の動作について詳述する。なお、説明を容易にするため、ケージ２を図示していない。
【００７０】
＜ロック中＞
図２Ａは、ロック中の可動機構３０の状態の説明図である。
【００７１】
操作レバー４０は、手前側に最も倒れた状態になっている。このときの操作レバー４０は、光トランシーバモジュールの前側から出ている光ファイバには接触していない状態である。このため、操作レバー４０は、これよりも前側に倒れることがないため、光ファイバに接触することはない。操作レバー４０の爪部４４の位置は、前後方向の移動範囲に関して、最も後側にある。操作レバー４０のスロット４２Ｂには、突起用ネジ７２の頭部が嵌っている。また、操作レバー４０のタブ４２Ｃの下側は、突起用ネジ７２の上側と接触している。操作レバー４０が回転するためには、タブ４２Ｃが突起用ネジ７２の頭部を乗り越える必要があるため、操作レバー４０に後側の外力が加わらない限り、操作レバー４０の位置はこの状態で安定している。（なお、この状態では、操作レバー４０に手前側の外力が加わっても、スライダ５０がこれ以上後側に移動することができないため、操作レバー４０は手前側には動かない。）
スライダ５０は、最も後側に位置した状態になっている。スライダ５０の楔部５１Ａは、最も後側に位置した状態になっており、ハウジング１１の楔収容部１２Ｂの位置にある。このとき、ケージ２の係止部２Ａとスライダ５０の楔部５１Ａが係合しており、光トランシーバモジュール１がケージ２に固定されている。スライダ５０のスライドプレート５１がハウジング１１の後側案内部１２Ａの最も後側に位置しており、スライダ５０の楔部５１Ａがハウジング１１の楔収容部１２Ｂに位置しているため、スライダ５０は、更に後側に移動することはできない。また、操作レバー４０の爪部４４の後縁とスライダ５０の窓５２Ａの後縁が接触した状態で操作レバー４０の位置が安定しているため、操作レバー４０に外力が加わらない限り、スライダ５０もこの位置で安定している。
【００７２】
つまみ６０も、最も後側に位置した状態になっている。操作レバー４０の爪部４４によって、つまみ６０の切欠部６２Ａの位置が規制されている。この状態で操作レバー４０の位置が安定しているため、操作レバー４０に外力が加わらない限り、つまみ６０は、切欠部６２Ａと爪部４４との間の遊び程度しか動かない。
【００７３】
つまみ６０が最も後側に位置しているため、つまみ６０のハンドル部６１がハウジング１１のヘッド部１３に最接近した状態になる。このため、操作者がハンドル部６１を摘もうとしても、ヘッド部１３が邪魔になり、ハンドル部６１を摘み難い状態になっている。特に、ハンドル部６１の上方に操作レバー４０の操作部４１が接近しているため、操作レバー４０の操作部４１が邪魔になり、操作者がハンドル部６１を摘み難い状態になっている。従って、操作者は、この状態の光トランシーバモジュール１を、ハンドル部６１を摘んでケージ２から抜こうとはしなくなる。
【００７４】
＜ロック解除中＞
図２Ｂは、ロック解除中の可動機構３０の状態の説明図である。
【００７５】
操作者が指で操作レバー４０の操作部４１を後側に押すと、タブ４２Ｃが突起用ネジ７２を乗り越えて、操作レバー４０が軸用ネジ７１の頭部を回転軸にして回転する。タブ４２Ｃは、側面プレート４２の軸穴４２Ａから見て、操作レバー４０の操作部４１の端部よりも近い位置に設けられているため、操作者が操作部４１を押したときに突起用ネジ７２の頭部を乗り越え易くなっている。
【００７６】
爪部４４は、側面プレート４２の軸穴４２Ａから見て、操作部４１と反対側に位置しているため、操作者が指で操作レバー４０の操作部４１を後側に押すと、爪部４４は前側に移動する。爪部４４が前側に移動すると、爪部４４の前縁がつまみ６０の切欠部６２Ａの前縁を押して、つまみ６０が前側に押し出される。爪部４４は、側面プレート４２の軸穴４２Ａから見て、操作レバー４０の操作部４１の端部よりも近い位置に設けられているため、操作者が操作部４１を押す力が弱くても、つまみ６０を前側に押し出せる。
【００７７】
爪部４４がスライダ５０の窓５２Ａの中を移動している間（図２Ａの状態から図２Ｂの状態までの間）は、爪部４４は窓５２Ａの縁に接触していない。このため、つまみ６０が前側に動き始めたときには、スライダ５０は未だ動かない。なお、つまみ６０の切欠部６２Ａの前後方向の幅がスライダ５０の窓５２Ａの前後方向の幅よりも短いため、スライダ５０が動き出す前につまみ６０を先に動かすことを可能にしている。
【００７８】
タブ４２Ｃが突起用ネジ７２の頭部を乗り越える途中の状態では、左右のタブ４２Ｃが左右方向に広がるように弾性変形しているため、戻ろうとする力が働いている。この状態で操作者が操作レバー４０から指を離すと、タブ４２Ｃが突起用ネジ７２の頭部を滑るように移動して操作レバー４０が若干回転し、タブ４２Ｃが突起用ネジ７２の頭部から外れたところで、操作レバー４０の回転が止まる。なお、突起用ネジ７２として頭部に丸みの付いた鍋ネジが採用されているため、タブ４２Ｃが突起用ネジ７２の頭部を滑りやすくなっている。このため、操作レバー４０の位置は、突起用ネジ７２がスロット４２Ｂに嵌った状態（図２Ａ参照）と、突起用ネジ７２の下側がタブ４２Ｃの上縁に接触した状態（図２Ｃ参照）では安定であるが、その間の状態（タブ４２Ｃが突起用ネジ７２の頭部に位置する状態、例えば図２Ｂ参照）では不安定である。
【００７９】
図２Ｂに示すように操作レバー４０の爪部４４が窓５２Ａの前縁に接触し、更に操作レバー４０が回転すると、スライダ５０が前側に動き始める。仮にタブ４２Ｃが突起用ネジ７２をほぼ乗り越えた状態の図２Ｂの状態で操作者が操作レバー４０から指を離すと、タブ４２Ｃが突起用ネジ７２の下方に向かって滑るように移動し、操作レバー４０が若干回転し、図２Ｃの状態になり、スライダ５０が前側に移動する。したがって、操作レバー４０が後側に倒れているのに、ロックが解除されていないという状態は生じない。また、つまみ６０が前側に押し出されて、操作者がハンドル部６１を摘み易くなっている状態のときに、ロックが解除されていない状態にはならない。
【００８０】
＜ロック解除後＞
図２Ｃは、ロック解除後の可動機構３０の状態の説明図である。
【００８１】
操作レバー４０は、奥側に最も倒れた状態になっている。このため、操作レバー４０の爪部４４の位置は、前後方向の移動範囲に関して、最も前側にある。操作レバー４０のタブ４２Ｃの上縁は、突起用ネジ７２の下側と接触している。操作レバー４０が回転するためには、タブ４２Ｃが突起用ネジ７２を乗り越える必要があるため、操作レバー４０に外力が加わらない限り、操作レバー４０の位置はこの状態で安定する。
【００８２】
スライダ５０は、最も前側に位置した状態になっている。スライダ５０の楔部５１Ａは、楔収容部１２Ｂよりも前側の位置にあり、ケージ２の係止部２Ａから外れており、操作者は光トランシーバモジュール１をケージ２から引き抜くことが可能になる。スライダ５０の下側にある突起部５１Ｂは、前側下カバー１４のスライダ押さえ部１４Ａの後縁に接触しているため、スライダ５０が、更に前側に移動することはできない。また、操作レバー４０の爪部４４の前縁とスライダ５０の窓５２Ａの前縁が接触した状態で操作レバー４０の位置が安定しているため、操作レバー４０に外力が加わらない限り、スライダ５０もこの位置で安定している。
【００８３】
つまみ６０も、最も前側に位置した状態になっている。操作レバー４０の爪部４４によって、つまみ６０の切欠部６２Ａの位置が規制されている。この状態で操作レバー４０の位置が安定しているため、操作レバー４０に外力が加わらない限り、つまみ６０は、切欠部６２Ａと爪部４４との間の遊び程度しか動かない。
【００８４】
つまみ６０が最も前側に位置しているため、つまみ６０のハンドル部６１がハウジング１１のヘッド部１３の前面から最も離間した状態になる。このため、操作者が親指と人差し指でハンドル部６１を摘み易い状態になっている。また、操作レバー４０の操作部４１が奥側に倒れたため、操作レバー４０の操作部４１が邪魔にならずに、操作者が親指と人差し指でハンドル部６１を摘み易い状態になっている。これにより、操作者は、光トランシーバモジュール１をケージ２から引き抜き易い。
【００８５】
ところで、スライダ５０の移動量は、スライダ５０の楔部５１Ａとケージ２の係止部２Ａとの係合を解除できればよいため、小さくてもよい。これに対し、つまみ６０の移動量は、操作者がハンドル部６１を摘み易くするためにつまみ６０を前側に移動する必要があるため、大きくする必要がある。そこで、本実施形態では、つまみ６０の切欠部６２Ａの前後方向の幅が、スライダ５０の窓５２Ａの前後方向の幅よりも短くしている。これにより、スライダ５０は図２Ｂの状態から動き始めるのに対し、つまみ６０は図２Ａの状態から動き始め（つまり、つまみ６０はスライダ５０よりも先に動き始め）、この結果、つまみ６０の移動量がスライダ５０の移動量よりも大きくなる。
【００８６】
＝＝＝まとめ＝＝＝
本実施形態の光トランシーバモジュールによれば、操作レバー４０を後側に倒すことによってロックが解除されるので、光トランシーバモジュール１の前側から出ている光ファイバがロック解除時に邪魔にならずに済む。
【００８７】
また、つまみ６０が設けられており、ロック解除時につまみ６０が前側に移動してハウジング１１の前面から離れるため、操作者は光トランシーバモジュール１をケージ２から引き抜き易くなる。特に、ロック解除時のつまみ６０の移動量がスライダ５０の移動量よりも大きいため、操作者は光トランシーバモジュール１をケージ２から引き抜き易くなる。
【００８８】
また、タブ４２Ｃと突起用ネジ７２によって、操作レバー４０の位置が規定されるため、操作者がハンドル部６１を摘み易くなっている状態のときに、ロックが解除されていない状態にはならない。
【００８９】
また、軸用ネジ７１や突起用ネジ７２によって、操作レバー４０の回転軸や突起をネジで構成しているため、可動機構３０をハウジング１１に取り付ける作業や、ハウジング１１に突起を形成することが容易になる。
【００９０】
また、突起用ネジ７２として鍋ネジが採用されており、ネジの頭部に丸みが付いているため、タブ４２Ｃがネジの頭部を乗り越えやすくなり、また、タブ４２Ｃがネジの頭部を滑りやすくなる。
【００９１】
また、本実施形態の光トランシーバモジュールの組み立て方に従って光トランシーバモジュールを製造すれば、ケージからの着脱が容易な光トランシーバモジュールを製造しやすくなる。
【００９２】
＝＝＝その他＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。特に、以下に述べる形態であっても、本発明に含まれる。
【００９３】
＜光トランシーバ＞
前述の実施形態では、ＸＦＰタイプの光トランシーバモジュール１を用いて説明したが、このタイプに限定されるものではない。他のタイプ（例えばＳＦＰタイプなど）の光トランシーバモジュールにおいても、操作レバー４０を後側に倒すことによってロックが解除されれば、光トランシーバモジュールの前側から出ている光ファイバがロック解除時に邪魔にならずに済む。
【００９４】
＜光ファイバ＞
前述の実施形態では、光トランシーバモジュール１がピグテールタイプ（光トランシーバモジュールから光ファイバが直接出ているタイプ）であったが、図１５のように、光コネクタによって光ファイバを光トランシーバモジュールから抜き取れるようになっていてもよい。図１５のようなレセプタクルタイプの光トランシーバモジュールであっても、光ファイバを付けたまま光トランシーバモジュールをケージから引き抜くことができるという効果を得ることができる。但し、ピグテールタイプの光トランシーバモジュール１のように光ファイバを外せない光トランシーバモジュールに前述の可動機構３０を採用すると、特に有効である。
【００９５】
また、前述の実施形態では、双方向通信用の光ファイバであったが、これに限られるものではない。光トランシーバモジュール１に受信用光ファイバと送信用光ファイバの２本の光ファイバが取り付けられていてもよい。
【００９６】
また、前述の実施形態では、光ファイバの端部の光コネクタ２１がＳＣコネクタであったが、コネクタの種類はこれに限られるものではない。例えば、ＦＣコネクタ、ＬＣコネクタ、ＭＵコネクタ、ＳＴコネクタ、ＭＴＲＪコネクタなどでもよいし、他のコネクタでもよい。
【００９７】
＜窓５２Ａ＞
前述の実施形態では、スライダ５０に窓５２Ａが設けられていた。但し、操作レバー４０の爪部４４と接触する部分（スライダ側接触部）の形状は、これに限られるものではない。例えば、スライダ５０の窓５２Ａの代わりに、つまみ６０の切欠部６２Ａのような下側に開口した凹形状の接触部をスライダ５０に形成しても良い。
【００９８】
＜つまみ６０＞
前述の実施形態では、可動機構３０につまみ６０が設けられていた。しかし、可動機構３０を操作レバー４０とスライダ５０だけで構成してもよい。このようにしても、操作レバー４０を後側に倒すことによってロックを解除できるので、光トランシーバモジュール１の前から出ている光ファイバが邪魔になることはない。また、可動機構３０を操作レバー４０とスライダ５０だけで構成する場合、操作者は、ロック解除後の光トランシーバモジュール１のヘッド部１３を把持して、光トランシーバモジュール１をケージ２から引き抜くとよい。但し、つまみ６０がある方が、操作者は光トランシーバモジュール１をケージ２から引き抜き易いので、望ましい。
【００９９】
また、前述の実施形態では、つまみ６０の移動量がスライダ５０の移動量よりも大きかった。但し、これに限られるものではなく、両者の移動量が同じでもよいし、スライダ５０の移動量がつまみ６０の移動量よりも大きくても良い。但し、つまみ６０の移動量がスライダ５０の移動量よりも大きい方が、操作者は光トランシーバモジュール１をケージ２から引き抜き易いので、望ましい。
【０１００】
＜爪部４４と窓５２Ａの接触＞
前述の実施形態では、レバー側接触部として操作レバー４０に爪部４４を設け、スライダ側接触部としてスライダ５０に窓５２Ａを設けていた。但し、操作レバー４０に窓を設け、スライダ５０に爪部４４に相当する凸部を設けても良い。
【０１０１】
図１４Ａ〜図１４Ｃは、変形例の説明図である。図１４Ａは、ロック中の可動機構の状態の説明図である。図１４Ｂは、ロック解除中の可動機構の状態の説明図である。図１４Ｃは、ロック解除後の可動機構の状態の説明図である。ここでは、説明を容易にするため、操作レバーを太線で示している。また、この変形例では、つまみ６０は省略されている。
【０１０２】
操作レバー４０の側面プレート４２には、窓４２Ｄが設けられている。窓４２Ｄは、側面プレート４２の軸穴４２Ａから見て、操作部４１と反対側に位置している。このため、操作者が指で操作レバー４０の操作部４１を後側に押すと、窓４２Ｄの後縁が前側に移動する。また、スライダ５０の側面には、外側に向かって突出するピン５２Ｂが設けられている。スライダ５０のピン５２Ｂは、操作レバー４０の窓４２Ｄの中に入り込むように位置している。
【０１０３】
ロック中には、図１４Ａに示すように、操作レバー４０の窓４２Ｄの前縁と、スライダ５０のピン５２Ｂの前縁とが接触している。ロック解除中には、図１４Ｂに示すように、操作レバー４０が押されると操作レバー４０の窓４２Ｄの後縁がピン５２Ｂに接触し、更に操作レバー４０が回転すると、操作レバー４０の窓４２Ｄの後縁がピン５２Ｂを前側に押して、スライダ５０が前側に移動する。
【０１０４】
このように、操作レバー４０に窓４２Ｄを設け、スライダ５０にピン５２Ｂを設けても、操作レバー４０の操作部を後側に押すことによってスライダを前側に移動させることが可能である。
【０１０５】
＜軸用ネジ７１＞
前述の実施形態では、操作レバー４０に軸穴４２Ａを設け、この軸穴４２Ａを通じて軸用ネジ７１によって操作レバー４０をハウジング１１に対して回転可能に取り付けていた。但し、操作レバー４０をハウジング１１に対して回転可能に取り付ける際に、軸用ネジ７１を用いなくてもよい。
【０１０６】
例えば、ハウジング１１に第１突出部１３Ｂを設ける代わりに、第１突出部１３Ｂよりも外側に突出し、軸穴４２Ａに挿入できる太さの突出部を予め設け、この突出部に操作レバー４０の軸穴４２Ａを嵌めることによって、操作レバー４０をハウジング１１に対して回転可能に取り付けてもよい。但し、この場合、操作レバー４０の左右の側面プレート４２を外側に広げながらハウジングの突出部を軸穴４２Ａに嵌める必要があるため、可動機構３０をハウジング１１に取り付け難くなる。
【０１０７】
また、操作レバー４０の軸穴４２の代わりに、操作レバー４０の側面プレート４２の内面から内側に突出する突起を設け、この突起をハウジングの第１突出部１３Ｂの穴に嵌めることによって、操作レバー４０をハウジング１１に対して回転可能に取り付けてもよい。但し、この場合も、操作レバー４０の左右の側面プレート４２を外側に広げる必要が生じ、可動機構３０をハウジング１１に取り付け難くなる。
【０１０８】
なお、前述の実施形態では、軸用ネジ７１として鍋ネジが用いられていたが、他のネジを用いてもよい。
【０１０９】
＜突起用ネジ７２＞
前述の実施形態では、可動機構３０をハウジング１１に取り付けた後、突起用ネジ７２をハウジング１１に取り付けていた。しかし、これに限られるものではなく、例えば、ハウジング１１の側面が突起を有する形状になっていてもよい。
【０１１０】
また、前述の実施形態では、突起用ネジ７２として鍋ネジが用いられていたが、他のネジを用いてもよい。但し、頭部に丸みの付いたネジを用いる方が望ましい。
【符号の説明】
【０１１１】
１  光トランシーバモジュール、２  ケージ、２Ａ  係止部、
１０  本体、１１  ハウジング、
１２  挿入部、１２Ａ  後側案内部、１２Ｂ  楔収容部、１３  ヘッド部、
１３Ａ  前側案内部、１３Ｂ  第１突出部、１３Ｃ  第２突出部、１３Ｄ  下側案内部、
１４  前側下カバー、１４Ａ  スライダ押さえ部、１４Ｂ  ファイバ押さえ部、
１５  後側下カバー、
２０  ピグテールファイバ、２１  光コネクタ、
３０  可動機構、
４０  操作レバー、４１  操作部、
４２  側面プレート、４２Ａ  軸穴、４２Ｂ  スロット、４２Ｃ  タブ、
４３  レバー連結部、４４  爪部、
５０  スライダ、
５１  スライドプレート、５１Ａ  楔部、５１Ｂ  突起部、
５２  窓用プレート、５２Ａ  窓、５３  スライダ連結部、５４  フック部、
６０  つまみ、６１  ハンドル部、６２  引っ掛け部、６２Ａ  切欠部、
７１  軸用ネジ、７２  突起用ネジ
【図１】
2011141474.tif 000003
【図２Ａ】
2011141474.tif 000004
【図２Ｂ】
2011141474.tif 000005
【図２Ｃ】
2011141474.tif 000006
【図３】
2011141474.tif 000007
【図４】
2011141474.tif 000008
【図５】
2011141474.tif 000009
【図６】
2011141474.tif 000010
【図７】
2011141474.tif 000011
【図８】
2011141474.tif 000012
【図９】
2011141474.tif 000013
【図１０】
2011141474.tif 000014
【図１１】
2011141474.tif 000015
【図１２】
2011141474.tif 000016
【図１３Ａ】
2011141474.tif 000017
【図１３Ｂ】
2011141474.tif 000018
【図１４】
2011141474.tif 000019
【図１５】
2011141474.tif 000020